(57)【特許請求の範囲】
【請求項１】
下記式で示されるジハロゲン化物。
【化１】
0004534044.tif 000034
（式中、R1、R1'は、ハロゲンを示し、R2、R2'は、置換基を有するシリル基を示し、R3、R3'は、水素又はアルキル基を示す。）
【請求項２】
置換基を有するシリル基が、Si(CH3)3、Si(n-C4H9)3、Si(t-C4H9)3、Si(CH3)2(C6H5)、Si(CH3)2(n-C18H37)からなる群から選択される少なくとも1種である請求項１記載のジハロゲン化物。
【請求項３】
アルキル基が炭素数１〜２０の間のアルキル基である請求項１又は２項に記載のジハロゲン化物。
【請求項４】
下記式で示される構造を主鎖内に有する高分子化合物。
【化２】
0004534044.tif 000035
（式中、R2、R2'は、置換基を有するシリル基を示し、R3、R3'は、水素又はアルキル基を示す。）
【請求項５】
下記式で示される請求項４記載の高分子化合物。
【化３】
0004534044.tif 000036
（式中、R2、R2'は、置換基を有するシリル基を示し、R3、R3'は、水素又はアルキル基を示す。ｎは重合度を表し、5〜1000である。）
【請求項６】
さらに、請求項４に記載の式で示される構造及びそれ以外の構造からなる共重合体からなる請求項４記載の高分子化合物。
【請求項７】
前記共重合体が、下記式、
【化４】
0004534044.tif 000037
（R4、R4'及びR5、R5'は、アルキル基を示す。）
【化５】
0004534044.tif 000038
（R6、R6'は、置換基を有するシリル基。R7、R7'はアルキル基を示す。）
【化６】
0004534044.tif 000039
（R6、R6'は置換基を有するシリル基を示す。）
【化７】
0004534044.tif 000040
（R6、R6'は、置換基を有するシリル基。R7、R7'はアルキル基を示す。）
【化８】
0004534044.tif 000041
（R7、R7'、R8、R8'、R9、R9'はいずれもアルキル基を示す。）
からなる群から選択される少なくとも１種である請求項５記載の高分子化合物。
【請求項８】
アルキル基が炭素数１〜２０の間のアルキル基である請求項４〜７項のいずれか１項に記載の高分子化合物。
【請求項９】
請求項４〜８項のいずれか１項に記載の高分子化合物を、請求項１又は２項に記載のジハロゲン化物を脱ハロゲン化して重合することにより得ることを特徴とする高分子化合物の製造方法。
【請求項１０】
脱ハロゲン化重合が、パラジウム化合物またはニッケル化合物の存在下で行なわれる請求項８記載の高分子化合物の製造方法。
【請求項１１】
請求項４〜８項のいずれか１項に記載の高分子化合物を用いて得られる薄膜。
【請求項１２】
４,４'-ジブロモ-ビフェニル-２,２'-ジカルバルデヒドに、四塩化チタンと亜鉛を加えることを特徴とする２,７-ジブロモ-トランス-９,１０-ジヒドロフェナントレン-９,１０-ジオールの製造方法。
【発明の詳細な説明】
【技術分野】
【０００１】
本発明は、ジハロゲン化物、高分子化合物、及びその製造方法に関し、特に、特定構造を主鎖内に有するジハロゲン化物、高分子化合物、及び当該ジハロゲン化物を出発原料として得る前記高分子化合物の製造方法に関する。
【背景技術】
【０００２】
近年、芳香族系高分子化合物 は耐熱性、電気化学的活性、蛍光を有する材料として注目されており、例えば蛍光材料への応用展開が進められている。例えば、ポリアニリンやポリチオフェン等が、その電気化学的レドックス反応の応用により電池活物質機能があることが期待されている（A.G.MacDiarmid等  PCT  Int.Appl. 82-US299）(「ポリマーバッテリー」山本、松永著、共立出版(1990))。
また、ポリパラフェニレン系高分子については高い耐熱性が期待され、(ポリパラフェニレンのベンゼン環の間をエチレン基で結合したポリ(9,10−ジヒドロフェナントレン−2,7−ジイルも合成されてきた（polym. Bull. 30巻,285頁(1993)。 
【非特許文献１】A.G.MacDiarmid等  PCT  Int.Appl. 82-US299(「ポリマーバッテリー」山本、松永著、共立出版(1990)
【非特許文献２】polym. Bull. 30巻,285頁(1993)
【発明の開示】
【発明が解決しようとする課題】
【０００３】
しかしながら、これまでに開発されてきた上記ポリ(9,10−ジヒドロフェナントレン−2,7−ジイル)は、溶媒に不溶であるため、成形性が限られる、等の制約が生じている。そこで、電気化学的に活性で、熱安定性を有し蛍光性を有し、かつ、溶解性の高いポリパラフェニレン系高分子材料の出現が望まれている。【０００４】
そこで、本発明の目的は、可溶化させるための適切な置換基を導入した機能性材料としての用途が期待できる新規なポリ(9,10−ジヒドロフェナントレンー２，７−ジイル) と、その製造方法を提供することにある。
【課題を解決するための手段】
【０００５】
かかる目的を達成するために、本発明者らは、ジハロゲン化物及び当該ジハロゲン化物の脱ハロゲン化について鋭意研究した結果、本発明の高分子化合物及びその製造方法を見出すに至った。【０００６】
すなわち、本発明のジハロゲン化物は、下記式で示されることを特徴とする。
【化１】
0004534044.tif 000002
（式中、R1、R1'は、ハロゲンを示し、R2、R2'は、置換基を有するシリル基を示し、R3、R3'は、水素又はアルキル基を示す。R1とR1'、R2、R2'、R3、R3'は、各々、互いに異なってても同じでもよい。）
【０００７】
また、本発明のジハロゲン化物の好ましい実施態様において、置換基を有するシリル基が、Si(CH3)３、Si(n−C4H9)３、Si(t−C4H9)３、Si(CH3)2(C6H5)、Si(CH3)2(ｎ-C18H37)からなる群から選択される少なくとも1種であることを特徴とする。
また、本発明のジハロゲン化物の好ましい実施態様において、アルキル基が炭素数１〜２０の間のアルキル基であることを特徴とする。【０００８】
また、本発明の高分子化合物は、下記式で示される構造を主鎖内に有することを特徴とする。
【化２】
0004534044.tif 000003
（式中、R2、R2'は、置換基を有するシリル基を示し、R3、R3'は、水素又はアルキル基を示す。）
【０００９】
本発明の高分子化合物の好ましい実施態様において、下記式で示されることを特徴とする。
【化３】
0004534044.tif 000004
（式中、R2、R2'は、置換基を有するシリル基を示し、R3、R3'は、水素又はアルキル基を示す。R1とR1'、R2、R2'、R3、R3'は、各々、互いに異なってても同じでもよい。ｎは重合度を表し、5〜1000である。）
【００１０】
また、本発明の高分子化合物の好ましい実施態様において、さらに、請求項４に記載の式で示される構造及びそれ以外の構造からなる共重合体からなることを特徴とする。【００１１】
また、本発明の高分子化合物の好ましい実施態様において、前記共重合体が、下記式、【００１２】
【化４】
0004534044.tif 000005
（R4、R４‘及びR5、R５‘は、アルキル基を示す。R４とR４’、R５とR５‘は、各々、互いに異なってても同じでもよい。）【００１３】
【化５】
0004534044.tif 000006
（R6とR６‘は、置換基を有するシリル基。R7、R７‘はアルキル基を示す。R６とR６’、R７とR７‘は、各々、互いに異なってても同じでもよい。）【００１４】
【化６】
0004534044.tif 000007
（R6、R６‘は置換基を有するシリル基を示す。R６とR６’は、各々、互いに異なってても同じでもよい。）【００１５】
【化７】
0004534044.tif 000008
（R6、R６‘は、置換基を有するシリル基。R7、R７‘はアルキル基を示す。R６とR６‘、R７とR７‘は、各々、互いに異なってても同じでもよい。）【００１６】
【化８】
0004534044.tif 000009
（R7、R７‘、R8、R８‘、R9、R９‘はいずれもアルキル基を示す。R７とR７‘、R８とR８‘、R９とR９‘は、各々、互いに異なってても同じでもよい。）からなる群から選択される少なくとも1種であることを特徴とする。【００１７】
本発明の高分子化合物の製造方法は、前記本発明の高分子化合物を、前記ジハロゲン化物を脱ハロゲン化して重合することにより得ることを特徴とする。【００１８】
本発明の高分子化合物の製造方法の好ましい実施態様において、脱ハロゲン化重合が、パラジウムまたはニッケル化合物の存在下で行なわれることを特徴とする。
【発明の効果】
【００１９】
本発明のジハロゲン化物によれば、有用な共役高分子化合物を、電気化学的、工学的機能材料として提供し得るという有利な効果を奏する。【００２０】
本発明の高分子化合物及び高分子化合物の製造方法によれば、可溶性のために成形性を有し、熱安定性、蛍光性、電気化学的活性を有する新たなポリフェニレン系ポリマーを簡便に提供することができるという有利な効果を奏する。特に、アルキル基や置換基を有するシリル基を選択し、溶媒に溶解させた後にキャストする方法などによって薄膜を得ることができる。
【図面の簡単な説明】
【００２１】
【図１】[化２５]中の化合物６のNMRスペクトルを示す。
【図２】[化１７]中の化合物７のNMRスペクトルを示す。
【図３】[化１７]中の化合物８のNMRスペクトルを示す。
【図４】[化１７]中の化合物９のNMRスペクトルを示す。
【図５】[化１７]中の化合物１０のNMRスペクトルを示す。
【図６】[化１７]中の化合物１１のNMRスペクトルを示す。
【図７】[化１９]中の化合物１５のNMRスペクトルを示す。
【図８】[化１９]中の化合物１６のNMRスペクトルを示す。
【発明を実施するための最良の形態】
【００２２】
すなわち、本発明のジハロゲン化物は、下記式で示される。
【化９】
0004534044.tif 000010
【００２３】
式中、R1、R1'は、Cl、Br、I等から選択されるハロゲンを示し、合成の容易さと高い反応性という観点から、好ましくは、Brである。R1、R1'として選択されるハロゲンは、左右で異なるものを用いても良いが、合成の容易さという観点から、同一であることが好ましい。R2、R2'は、置換基を有するシリル基を示す。R3、R3'は、水素又はアルキル基を示す。得られるポリマーの溶解性の向上という観点から、R2、R2'、R3、R3'は好ましくは、ある程度の分子鎖長さ（例えば、R3、R3'が、炭素数１〜２０のアルキル基）をもつものが望ましいが、これに制限されるものではない。R2とR2'、R3とR3'は、各々、互いに異なってても同じでもよい。
【００２４】
また、本発明の高分子化合物は、下記式で示される構造を主鎖内に有する。【００２５】
【化１０】
0004534044.tif 000011
式中、R2、R2'は、置換基を有するシリル基（以下、置換シリル基ともいう）を示し、R3、R3'は、水素、又はアルキル基を示す。R2とR2'、R3とR3'は、各々、互いに異なってても同じでもよい。すなわち、本発明の高分子化合物は、［化１０］に示される構造を主鎖内に有するものであれば、その構造は特に制限されることはなく、［化１０］の構成繰り返し単位のほか、耐熱性、蛍光性、電気化学的活性を阻害しない範囲内で、他の構成単位（例えば、ピリジン、フェナンスレン、チオフェンなどから誘導されるもの）を有するものであってもよいが、特に、式［化１０］で示される構造からなる高分子化合物であることが好ましい。この場合、［化１０］の構成繰り返し単位が同一のホモポリマーであってもよく、［化１０］の構成繰り返し単位の異なる組合せのコポリマーであってもよいが、合成の容易さや特性上、ホモポリマーであることが好ましい。
【００２６】
本発明の高分子化合物 の分子量は、用途により特に限定されないが、重量平均分子量で、１０００以上が好ましく、さらには３０００〜１０００００であることが好ましい。このような分子量を持つことで、成型しやすくなり、また成形品の強度が向上するという利点を有する。【００２７】
本発明の高分子化合物は、また、下記式で示される。【００２８】
【化１１】
0004534044.tif 000012
式中、R2、R2'は、置換シリル基を示し、R3、R3'は、水素、又はアルキル基を示す。R2とR2'、R3とR3'は、各々、互いに異なってても同じでもよい。ｎは重合度を表し、5〜1000である。また、本発明の高分子化合物は、クロロホルムなどの有機溶媒に溶解性を示すことから、高分子化合物の溶液をガラスなどの基板上に塗布することが容易になる。溶解性の向上という観点から、R2及びR2'は、C1−C20程度のアルキル基を有するシリル基、R3及びR3'はC1−C20程度のアルキル基を持つものが望ましいが、これに制限されるものではない。
【００２９】
また、本発明の高分子化合物の好ましい実施態様において、さらに、請求項3に記載の式で示される構造及びそれ以外の構造からなる共重合体からなる。このような共重合体は、特に限定されるものではないが、例えば、
下記式、【００３０】
【化１２】
0004534044.tif 000013
【００３１】
【化１３】
0004534044.tif 000014
【００３２】
【化１４】
0004534044.tif 000015
【００３３】
【化１５】
0004534044.tif 000016
【００３４】
【化１６】
0004534044.tif 000017
（R4、R4‘及びR5、R５‘は、アルキル基を示す。R6、R6‘は、置換基を有するシリル基。R7、R７‘、R8、R８‘、R9、R９‘はアルキル基を示す。R４とR４‘、R５とR５‘、R6とR6‘、R7とR７‘、R8とR８‘、R9とR９‘は、各々、互いに異なってても同じでもよい。）
からなる群から選択される少なくとも1種を挙げることができる。【００３５】
次に、本発明の高分子化合物の製造方法について説明する。本発明の高分子化合物の製造方法は、前記本発明の高分子化合物を、前記ジハロゲン化物を脱ハロゲン化して重合することにより得ることができる。好ましい実施態様において、反応性が高いという観点から、脱ハロゲン化重合が、パラジウムまたはニッケル化合物の存在下で行なわれる。【００３６】
本発明のホモポリマーに用いる金属または金属化合物 としては、多様なものが挙げられる。まず、金属としては、還元性金属または有機ハロゲン化物のＣ−Ｃカップリング反応を起こす金属が望ましく、例えば、Ｌｉ、Ｎａ、Ｋ等の１族金属、Ｍｇ、Ｃａ等の２族金属、Ｔｉ、Ｖ、Ｃｒ、Ｆｅ、Ｃｏ、Ｎｉ、Ｃｕ等の遷移金属、Ｚｎ等の１２族金属、Ａｌ、Ｇａ等の１３族金属、Ｓｎ等の１４族金属が挙げられる。これらの金属は、必要に応じて、他の金属または金属化合物 からなる触媒を用いてもよい（Ｍｇを用いる類似の重合において、ニッケル化合物 を触媒とする例が雑誌「高分子」第４６巻、６８頁（１９９７年）中の式（１）に記載されている）。また、金属化合物 としては、特に制限はないが、還元性金属化合物 または有機ハロゲン化物のＣ−Ｃカップリング反応を起こさせるものが望ましく、例えばゼロ価ニッケル化合物 、ゼロ価パラジウム化合物 などが挙げられる。これらのゼロ価金属化合物 を用いる場合、こうしたゼロ価金属化合物 そのものを用いてもよいし、また２価ニッケル化合物 、２価パラジウム化合物 等を加え反応系中において亜鉛Ｚｎやヒドラジン等の還元剤を用いて発生させてもよい。ゼロ価ニッケル化合物 を用いてＣ−Ｃ結合生成を伴う単独重合の形式としては、特願平６−４２４２８号に記載の重合形成を挙げることができる。また、パラジウム触媒を用いるカップリング反応ではアセチレン類
0004534044.tif 000018
と有機ハロゲン化物R15Xのカップリング反応や有機スズ又はホウ素化合物(例えば、R12SnR133やR１４Sn−B（OR15）3とR１１Xとのカップリング反応を用いることができる。【００３７】
このようななかでも、高い反応性という観点から,パラジウム又はニッケル化合物 が好ましい。ホモポリマーを得る場合には、ゼロ価ニッケル錯体（例えば、ビス（１，５−シクロオクタジエン）ニッケル：Ｎｉ（ｃｏｄ）2）の使用が好ましい。【００３８】
また、このような反応は、ジメチルホルムアミド（ＤＭＦ）等の有機溶媒などを用いて、２０〜１２０℃程度の温度で行えばよい。【００３９】
このようにして得られる高分子化合物 は、元素分析、赤外吸収スペクトル（ＩＲ）等によって同定することができる。また、分子量は、ゲルパーミエーションクロマトグラフ（ＧＰＣ）法によって求めたものである。【００４０】
本発明の高分子化合物 は、可溶性であり、耐熱性、電気化学的活性、蛍光性をもつ高分子材料としての用途が期待される。【００４１】
また、本発明の高分子化合物 は、色の変化を伴う電気化学的還元反応を示すことから、エレクトロクロミック材料として使用することができる。また、酸化還元機能を利用した電池用活物質として使用することもできる。これらの具体的な適用方法や形態については、公知のものに準じる。
【実施例】
【００４２】
ここで、本発明の一実施例を説明するが、本発明は、下記の実施例に限定して解釈されるものではない。また、本発明の要旨を逸脱することなく、適宜変更することが可能であることは言うまでもない。【００４３】
実施例１(ジハロゲン化物の合成)
本発明のジハロゲン化物の反応スキームを以下に示す。【００４４】
【化１７】
0004534044.tif 000019
【００４５】
(A) 4,4’-Dibromo-2,2’-dicarboxy-1,1’-biphenyl(1)の合成
2-Amino-5-bromobenzoic acid(5.47 g, 25.3 mmol)にH2O(20 mL)とhydrochrolic acid(9 mL)を加え0 ℃に冷却、さらにsodium nitrite(2.10 g, 30.4 mmol)を加え1時間撹拌した。その後、copper(ＩＩ) sulfate pentahydrate(12.6 g， 50.5 mmol)をH2O(45 mL)に溶かし、30% ammonia solution(22 mL)を加えた溶液にhydroxyammonium chloride(3.76 g, 55.7 mmol)の6N-sodium hydroxide(9 mL)溶液を0 ℃で加え、撹拌した。その溶液に、diazo化した溶液をcopper溶液の液面より下から30分かけ滴下した。さらに室温に戻し2時間撹拌、1時間加熱した。
塩酸で溶液を酸性にした後、吸引濾過、乾燥した。カラムクロマトグラフィー(ヘキサン:酢酸エチル=1:1)で精製することで4,4’-Dibromo-2,2’-dicarboxy-1,1’-biphenyl(4.5 g, 11.3 mmol, 90%)を黄色粉末として得た。得られた粉末を、クロロホルムにより再結晶化させることで白色盤状結晶を得た。
(物性値)
1H NMR (CD3OD, 400 MHz)   
δ(ppm) = 8.10 (d, J = 1.95 Hz, 2H, Ha)   
7.69 (dd, J = 1.95,8.30 Hz, 2H, Hb)
7.10 (d, J = 8.30 Hz 2H, Hc)
IR(KBr)  3099, 1708, 1585, 1417, 1298, 1281, 1248, 1096, 1003, 826 (cm-1)
ref) J. Am. Chem. Soc. 1992, 114, 6227. 
上記物性値中、Ha,、Hb、Hcは、ベンゼン環に結合している水素に帰属される。(以下の実施例の項において同様。)
(B) 4,4’-Dibromo-2,2’-bis(methoxycarbonyl)-1,1’-biphenyl(2)の合成
窒素雰囲気下、4,4’-Dibromo-2,2’-dicarboxy-1,1’-biphenyl(0.18 g, 0.46 mmol)にpotassium carbonate(0.84 g, 6.00 mmol), acetone(25 mL), iodomethane(170 μL, 2.73 mmol)を加え2時間還流した。
クロロホルムで抽出、無水硫酸マグネシウムで乾燥、濃縮した。カラムクロマトグラフィー(ヘキサン：クロロホルム＝1：1)で精製することで黄色粉末である4,4’-Dibromo-2,2’-bis(methoxycarbonyl)-1,1’-biphenyl(0.18 g, 0.42 mmol, 91%)を得た。得られた粉末を、クロロホルム−ヘキサン混合溶媒により再結晶化させることで白色盤状結晶を得た。
(物性値)
1H NMR (CDCl3, 400 MHz)
δ(ppm) = 8.16 (d, J = 1.95 Hz, 2H, Ha)
7.66 (dd, J = 1.95,8.30 Hz, 2H, Hb) 
7.04 (d, J = 8.30 Hz, 2H, Hc)
3.66 (s, 6H, -CH3)
IR(KBr)  1730, 1716, 1434, 1294, 1278, 1244, 1148, 1095, 971, 832 (cm-1)
(C) 4,4’-Dibromo-2,2’-bis(hydroxymethyl)-1,1’-biphenyl(3)の合成
窒素雰囲気下、4,4’-Dibromo-2,2’-bis(methoxycarbonyl)-1,1’-biphenyl(3.24 g, 7.56 mmol)をdry ether(42 mL)に溶解させ、0 ℃で攪拌した。さらにlithium aluminium hydride(0.64 g, 16.9 mmol)を加え、6時間攪拌した。
酢酸エチルで抽出、無水硫酸マグネシウムで乾燥、濃縮した。カラムクロマトグラフィー(ヘキサン：酢酸エチル＝1：1)で精製することで白色粉末である4,4’-Dibromo-2,2’-bis(hydroxymethyl)-1,1’-biphenyl(2.60 g, 6.98 mmol, 92%)を得た。得られた粉末を、クロロホルム−ヘキサン混合溶媒により再結晶化させることで白色針状結晶を得た。
(物性値)
1H NMR (DMSO, 400 MHz)
δ(ppm) = 7.69 (d, J = 1.71 Hz, 2H, Ha)
7.47 (dd, J = 2.20, 8.05 Hz, 2H, Hb) 
7.02 (d, J = 8.05 Hz, 2H, Hc)
5.23 (t, J = 5.37 Hz, 2H, -OH)
4.15, 4.05 (dd, J = 5.61, 14.1 Hz, 2H, -CH2-)
IR(KBr)  3454, 3320, 1656, 1611, 1567, 1542, 1222, 1161, 957, 822 (cm-1)
(D)     4,4’-Dibromo-biphenyl-2,2’-dicarbaldehyde(4)の合成
窒素雰囲気下、-78 ℃でdry CH2Cl2(30 mL)にoxalyl dichloride(1.11 mL, 12.9 mmol), dimethyl sulfide(2.00 mL, 28.2 mmol)を加え1時間攪拌した。その後、4,4’-Dibromo-2,2’-bis(methoxycarbonyl)-1,1’-biphenyl(2.10 g, 5.64 mmol), triethyamine(7.86 mL, 56.4 mmol)を加え2時間攪拌した。
酢酸エチルで抽出、無水硫酸マグネシウムで乾燥、濃縮した。カラムクロマトグラフィー(ヘキサン：クロロホルム＝2：1)で精製することで黄色粉末である4,4’-Dibromo-biphenyl-2,2’-dicarbaldehyde(1.87 g, 5.08 mmol, 90%)を得た。得られた粉末を、クロロホルム−ヘキサン混合溶媒により再結晶化させることで白色盤状結晶を得た。
(物性値)
1H NMR (CDCl3, 400 MHz)
δ(ppm) = 9.77 (s, 2H, -CHO)
8.17 (d, J = 2.44 Hz, 2H, Ha) 
7.80 (dd, J = 2.44, 8.30 Hz, 2H, Hb)
7.21 (d, J = 8.30 Hz, 2H, Hc)
IR(KBr)  1693, 1682, 1583, 1457, 1389, 1179, 1086, 877, 833, 677 (cm-1)
(E)     2,7-Dibromo-trans-9,10-dihydrophenanthrene-9,10-diol(5)の合成
窒素雰囲気下、-78 ℃で4,4’-Dibromo-biphenyl-2,2’-dicarbaldehyde(2.70 g, 7.33 mmol)をdry THF(60 mL)に溶解させた溶液に、titanium(IV) chloride(1.21 mL, 11.0 mmol)を滴下し、30分後、zinc(1.44 g, 22.0 mmol)を加え0 ℃に戻して3時間撹拌した。
酢酸エチルで抽出、無水硫酸マグネシウムで乾燥、濃縮した。カラムクロマトグラフィー(ヘキサン：酢酸エチル＝3：1)で精製することで白色粉末である2,7-Dibromo-trans-9,10-dihydrophenanthrene-9,10-diol(2.17 g, 5.86 mmol, 80%)を得た。得られた粉末を、クロロホルム−ヘキサン混合溶媒により再結晶化させることで白色針状結晶を得た。
(物性値)
1H NMR (DMSO-d, 400 MHz)
δ(ppm) = 7.76 (d, J = 8.29 Hz, 2H, Hc)
7.71 (dd, J = 2.20, 8.29 Hz, 2H, Hb) 
7.55 (d, J = 2.20 Hz, 2H, Ha)
5.88 (s, 2H, -benzylH)
4.47 (s, 2H, -OH)
IR(KBr)  3349, 1459, 1416, 1193, 1141, 1084, 1027, 805, 633, 446 (cm-1)
モノマーの同定を、元素分析、ＩＲ（ＫＢｒ法）、1ＨＮＭＲにより行った。得られたジハロゲン化物の物性値を以下に示す。
0004534044.tif 000020
【００４６】
＜モノマーの同定＞
[化１７]中の化合物6
(F) 2,7-Dibromo-9,10-dihydro-9,10-dimethoxyphenanthrene(6)の合成
窒素雰囲気下、2,7-Dibromo-9,10-dihydrophenanthrene-9,10-diol(1.54 g, 4.15 mmol)をdry THF(20 mL)に溶解させた溶液に、sodium hydride(0.40 g, 16.7 mmol), iodomethane(1.5 mL, 23.8 mmol)を加え、室温で3時間撹拌した。
酢酸エチルで抽出、無水硫酸マグネシウムで乾燥、濃縮した。カラムクロマトグラフィー(ヘキサン：クロロホルム＝3：1)で精製することで白色粉末である2,7-Dibromo-9,10-dihydro-9,10-dimethoxyphenanthrene(1.49 g, 3.74mmol, 90%)を得た。得られた粉末を、クロロホルム−ヘキサン混合溶媒により再結晶化させることで白色盤状結晶を得た。
融点(mp)  150.5-151.5 ℃
1H NMR (CDCl3, 400MHz)   
δ(ppm) = 7.61 (d, J = 8.05 Hz, 2H, Hc)
7.55 (d, J = 1.95 Hz, 2H, Ha) 
7.53 (dd, J = 1.95, 8.29 Hz, 2H, Hb)
4.32 (s, 2H, -benzylH)
3.43 (s, 6H, -CH3)
IR(KBr)  2933, 2894, 2823, 1469, 1207, 1179, 1097, 1005, 881, 819 (cm-1)
0004534044.tif 000021
【００４７】
上記化合物６のNMRスペクトルを図1に示す。【００４８】
[化１７]中の化合物７
(G)2,7-Dibromo-9,10-dihydro-9,10-bis(trimethylsilyloxy)phenanthrene(7)の合成
窒素雰囲気下、2,7-Dibromo-9,10-dihydrophenanthrene-9,10-diol(1.43 g, 3.86 mmol)をdry THF(5 mL)に溶解させた溶液に、chlorotrimethylsilane(1.5 mL, 11.8 mmol), triethylamine(5 mL, 35.9 mmol)を加え、還流下5時間撹拌した。
酢酸エチルで抽出、無水硫酸マグネシウムで乾燥、濃縮した。カラムクロマトグラフィー(ヘキサン：クロロホルム＝1：1)で精製することで白色粉末である2,7-Dibromo-9,10-dihydro-9,10-bis(trimethylsilyloxy)phenanthrene(1.60 g, 3.11 mmol, 81%)を得た。得られた粉末を、クロロホルム−ヘキサン混合溶媒により再結晶化させることで白色盤状結晶を得た。
(物性値)
mp  144.0-145.0 ℃ 
1H NMR (CDCl3, 400 MHz)   
δ(ppm) = 7.67 (d, J = 0.49 Hz, 2H, Hc)
7.53-7.30 (dd, J = 0.73 Hz, 4H, Hb, Ha) 
4.66 (s, 2H, -benzylH)
0.28 (s, 18H, -CH3)
IR(KBr)  1253, 1190, 1158, 1096, 924, 908, 883, 867, 838, 808 (cm-1)
0004534044.tif 000022
【００４９】
上記化合物７のNMRスペクトルを図２に示す。以下の記述においてNMRスペクトルは１H−NMRスペクトルを示し、また、Ha〜Hｃはベンゼン環に結合した水素に帰属される。【００５０】
[化１７]中の化合物8
(H)2,7-Dibromo-trans-9,10-dihydro-9,10-bis(tributylsilyloxy)phenanthrene(8)の合成
窒素雰囲気下、2,7-Dibromo-trans-9,10-dihydrophenanthrene-9,10-diol(1.88 g, 5.08 mmol)をdry THF(30 mL)に溶解させた溶液に、chlorotributylsilane(3.0 mL, 11.2 mmol), 1,8-diazabicyclo[5.4.0.]-7-undecene(1.9 mL, 12.7 mmol)を加え、室温で5時間撹拌した。
酢酸エチルで抽出、無水硫酸マグネシウムで乾燥、濃縮した。カラムクロマトグラフィー(ヘキサン：クロロホルム＝1：4)で精製することで白色オイルである2,7-Dibromo-trans-9,10-dihydro-9,10-bis(tributylsilyloxy)phenanthrene(3.7 g, 4.83 mmol, 95%)を得た。
(物性値) 
オイル
1H NMR (CDCl3, 400MHz)   
δ(ppm) = 7.54 (d, J = 8.05 Hz, 2H, Hc) 
7.49 (dd, J = 2.20, 7.09 Hz, 2H, Hb) 
7.46 (d, J = 2.30 Hz, 2H, Ha)
4.56 (s, 2H, -benzylH)
1.30-1.18 (m, 24H, -CH2CH2-)
0.85 (t, J = 6.83, 7.32 Hz, 18H, -CH3)
0.60-0.56 (b, 12H, -SiCH2-)
IR(KBr)  2956, 2923, 2871, 1464, 1195, 1082, 1005, 906, 886, 812 (cm-1)
0004534044.tif 000023
【００５１】
上記化合物８のNMRスペクトルを図3に示す。【００５２】
[化１７]中の化合物9
(I)2,7-Dibromo-trans-9,10-dihydro-9,10-bis(tert-butyldimetylsilyloxy)phenanthrene(9)の合成
窒素雰囲気下、2,7-Dibromo-trans-9,10-dihydrophenanthrene-9,10-diol(0.94 g, 2.54 mmol)をdry THF(15 mL)に溶解させた溶液に、tert-butyldimethylsilane(1.91 g, 12.7 mmol), 1,8-diazabicyclo[5.4.0.]-7-undecene(2.3 mL, 15.4 mmol)を加え、室温で14時間撹拌した。
酢酸エチルで抽出、無水硫酸マグネシウムで乾燥、濃縮した。カラムクロマトグラフィー(ヘキサン：クロロホルム＝1：1)で精製することで白色粉末である2,7-Dibromo-trans-9,10-dihydro-9,10-bis(tert-butyldimethylsilyloxy)phenanthrene(1.35 g, 2.26 mmol, 89%)を得た。得られた粉末を、クロロホルム−ヘキサン混合溶媒により再結晶化させることで白色盤状結晶を得た。
(物性値)
mp  162.0-163.0 ℃  
1H NMR (CDCl3, 400MHz)   
δ(ppm) = 7.57-7.46 (m, 6H, Ha, Hb, Hc,) 
4.57 (s, 2H, -benzyl-H) 
0.85 (s, 18H, -C(CH3)3)
0.14,-0.06 (s, 12H, -Si(CH3)2)
IR(KBr)  2953, 2928, 1471, 1257, 1083, 910, 845, 837, 814, 775 (cm-1)
0004534044.tif 000024
【００５３】
上記化合物９のNMRスペクトルを図4に示す。【００５４】
[化１７]中の化合物10
(J)2,7-Dibromo-trans-9,10-dihydro-9,10-bis(dimethylphenylsilyloxy)phenanthrene(10)の合成
窒素雰囲気下、2,7-Dibromo-trans-9,10-dihydrophenanthrene-9,10-diol(0.70 g, 1.89 mmol)をdry THF(10 mL)に溶解させた溶液に、chlorodimethylphenylsilane(1 mL , 5.96 mmol), 1,8-diazabicyclo[5.4.0.]-7-undecene(1.7 mL, 11.4 mmol)を加え、室温で3時間撹拌した。
酢酸エチルで抽出、無水硫酸マグネシウムで乾燥、濃縮した。カラムクロマトグラフィー(ヘキサン：クロロホルム＝5：1)で精製することで白色固体である2,7-Dibromo-trans-9,10-dihydro-9,10-bis(dimethylphenylsilyloxy)phenanthrene(0.79 g, 1.24 mmol, 65%)を得た。
(物性値)
mp  103.0-104.0 ℃
1H NMR (CDCl3, 400MHz)   
δ(ppm) = 7.52-7.34 (m, 16H, Ha, Hb, Hc, -Ph) 
4.61 (s, 2H, -benzylH) 
0.35, 0.32 (s, 12H, -CH3) 
IR(KBr)  1254, 1117, 1053, 912, 866, 845, 826, 786, 736, 698 (cm-1)
【００５５】
上記化合物10のNMRスペクトルを図5に示す。【００５６】
[化１７]中の化合物11
(K)2,7-Dibromo-trans-9,10-dihydro-9,10-bis(dimethyloctadecylsilyloxy)phenanthrene(11)の合成
窒素雰囲気下、2,7-Dibromo-trans-9,10-dihydrophenanthrene-9,10-diol(1.19 g, 3.22 mmol)をdry THF(20 mL)に溶解させた溶液に、chlorodimethyloctadecylsilane(4.47 g, 12.9  mmol), 1,8-diazabicyclo[5.4.0.]-7-undecene(2.4 mL, 16.0 mmol)を加え、5時間還流した。
酢酸エチルで抽出、無水硫酸マグネシウムで乾燥、濃縮した。カラムクロマトグラフィー(ヘキサン：クロロホルム＝5：1)で精製することで白色固体である2,7-Dibromo-trans-9,10-dihydro-9,10-bis(dimethyloctadecylsilyloxy)phenanthrene(1.81 g, 1.83 mmol, 57%)を得た。
(物性値)
mp  51.5-52.5 ℃
1H NMR (CDCl3, 400 MHz)   
δ(ppm) = 7.60, 7.47 (s, 6H, Ha, Hb, Hc) 
4.57 (s, 2H, -benzylH) 
1.24 (br, 64H, -CH2-) 
0.86 (t, 6H, -CH3) 
0.69 (t, 4H, -SiCH2-)
0.18, 0.15 (s, 12H, -Si(CH3)3)
IR(KBr)  2955, 2917, 2850, 1471, 1253, 1192, 1158, 1098, 856, 809 (cm-1)
0004534044.tif 000025
【００５７】
上記化合物１１のNMRスペクトルを図6に示す。【００５８】
実施例２
次いで、上記のように得られたジハロゲン化物を出発原料として、ポリマーの合成を試みた。ずなわち、置換基を有する9,10-ジヒドロフェナントレンのジハロゲン化物を原料として、重縮合により本発明の高分子化合物の合成を試みた。【００５９】
簡略化した合成手順例を以下に示す。【００６０】
【化１８】
0004534044.tif 000026
(A) ホモポリマー重合
一例として18-SiBu3の重合を示す。
窒素雰囲気下、bis(1,5-cyclooctadiene)nickel(0)(0.60 g, 2.18 mmol)にdry DMF(15.0 mL), bipyridine(0.34 g, 2.18 mmol), 1,5-cyclooctadiene(267 μL, 2.18 mmol)を加え、さらに2,7-Dibromo-trans-9,10-dihydro-9,10-bis(tributylsilyloxy)phenanthrene(0.75 g, 0.98 mmol)のdry DMF(5 mL)溶液を加え60 ℃で4日間攪拌した。
臭化水素酸でquenchした後、メタノール、EDTA-4Na aqで2度再沈殿を行い、乾燥することで青色固体である高分子(0.58 g, 0.96 mmol, 96%)を得た。【００６１】
得られたポリマーの性質を下記表１に示す。【００６２】
【表１】
0004534044.tif 000027
得られたポリマーの性質については以下の通りである。先ず溶解性については、表1のrun2,5及び[化２0]中の式22(段落番号[００７０]については、クロロホルム、THF,トルエンに可溶であり、run1,3及び4については、クロロホルムに僅かに可溶である。
蛍光データについては、run2については、クロロホルム溶液中でλEX(励起波長)＝379nm、λEM(発光波長)＝414nm、フィルムでは、λEX(励起波長)＝391nm、λEM(発光波長)＝431nmに発光を示した。
Run５は、クロロホルム溶液中でλEX(励起波長)＝398nm、λEM(発光波長)＝427nm、フィルムでは、λEX(励起波長)＝398nm、λEM(発光波長)＝430nmに発光を示した。
[化20]の式22は、クロロホルム溶液中でλEX(励起波長)＝385nm、λEM(発光波長)＝418nm、フィルムでは、λEX(励起波長)＝382nm、λEM(発光波長)＝432nmに発光を示した。
CVについては、run２は酸化波を1.33Vに示した。run５は酸化波を1.34Vに示した。run6は酸化波を1.16Vに示した。CVとは、サイクリックボルタンメトリー（CV）におけるポリマーフィルムの酸化波を示す。また、電圧1.33V等の値は、Ag+/Agに対する値である。
耐熱性については、５％重量減少温度（Td）を、run2は390℃、run5は360℃、[化２０]の式22の化合物は400℃を示し、熱的安定性が高いことが分かった。【００６３】
実施例３
次に、別の態様における本発明のジハロゲン化物の反応スキームを以下に示す。【００６４】
【化１９】
0004534044.tif 000028
【００６５】
(Ｌ) 2-Amino-5-bromoacetophenone(12)の合成
窒素雰囲気下、2-Aminoacetophenone(20.0 g, 148 mmol), potassium bromide(21.2 g, 178 mmol)にAcOH(60 mL)を加え0 ℃に冷却した後、sodium peroxoborate tetrahydrate(27.3 g, 178 mmol)を加え、2日間撹拌した。
クロロホルムで抽出、無水硫酸マグネシウムで乾燥、濃縮した。カラムクロマトグラフィー(ヘキサン：クロロホルム＝1：1)で精製することで黄色粉末である2-Amino-5-bromoacetophenone(27.4 g, 128 mmol, 86%)を得た。得られた粉末を、クロロホルム−ヘキサン混合溶媒により再結晶化させることで黄色針状結晶を得た。
(物性値)      
1H NMR (CDCl3, 400 MHz)   
δ(ppm) = 7.80 (d, J = 2.44 Hz, 1H, Ha)
7.32 (dd, J = 1.95, 8.79 Hz, 1H, Hb) 
6.56 (d, J = 8.79 Hz, 1H, Hc)
6,29 (s, 2H, -NH2)
2.56 (s, 3H, -OCH3)
IR(KBr)  3314, 1469, 1394, 1186, 1089, 1036, 1004, 847, 816, 518 (cm-1)
(M) 1-(2’-Acetyl-4,4’-dibromo-biphenyl-2-yl)etanone(13)の合成
2-Amino-5-bromoacetophenone(17.4 g, 81.0 mmol)にH2O(28 mL)とhydrochloric acid(24 mL)を加え0 ℃に冷却、さらにsodium nitrite(6.71 g, 97.2 mmol)を加え1時間撹拌した。その後、copper(ＩＩ) sulfate pentahydrate(40.5 g， 162 mmol)をH2O(140 mL)に溶かし、30% ammonia solution(70 mL)を加えた溶液にhydroxyammonium chloride(12.0 g, 178 mmol)の6N-sodium hydroxide(30 mL)溶液を0 ℃で加え、撹拌した。その溶液に、diazo化した溶液をcopper溶液の液面より下から30分かけ滴下した。さらに室温に戻し2時間撹拌した。その後、1時間加熱した。
塩酸で溶液を酸性にした後、クロロホルムで抽出、無水硫酸マグネシウムで乾燥、濃縮した。カラムクロマトグラフィー(シリカ、ヘキサン:クロロホルム=1:1)で精製することにより、1-(2’-Acetyl-4,4’-dibromo-biphenyl-2-yl)etanone(16.0 g, 40.4 mmol, 99%)を黄色粉末として得た。得られた粉末を、クロロホルム−ヘキサン混合溶媒により再結晶化させることで白色盤状結晶を得た。
(物性値)      
1H NMR (CDCl3, 400 MHz)   
δ(ppm) = 7.86 (d, J = 2.44 Hz, 2H, Ha)
7.62 (dd, J = 1.95, 8.00 Hz, 2H, Hb) 
7.01 (d, J = 8.00 Hz, 2H, Hc)
2.33 (s, 6H, -OCH3)
(N)2,7-Dibromo-trans-9,10-dimethylphenanthrene-9,10-diol(14)の合成
窒素雰囲気下、-78 ℃で1-(2’-Acetyl-4,4’-dibromo-biphenyl-2-yl)etanone(10.7 g, 27.0 mmol)をdry THF(150 mL)に溶解させた溶液に、titanium(ＩＶ) chloride(4.44 mL, 40.5 mmol))を滴下し、30分後、zinc(5.29 g, 80.9 mmol)を加え、0 ℃に戻して3時間撹拌した。
酢酸エチルで抽出、無水硫酸マグネシウムで乾燥、濃縮した。カラムクロマトグラフィー(ヘキサン：酢酸エチル＝3：1)で精製することで黄色固体である2,7-Dibromo-trans-9,10-dimethylphenanthrene-9,10-diol(9.57 g, 24.0 mmol, 89%)を得た。
(物性値)
1H NMR (CDCl3, 400 MHz) 
δ(ppm) = 7.85 (d, J = 1.95 Hz, 2H, Ha)
7.51 (d, J = 8.30 Hz, 2H, Hc) 
7.46 (dd, J = 1.95, 8.30 Hz, 2H, Hb)
2.50 (s, 2H, -OH)
1.30 (s, 6H, -CH3)
IR(KBr)  3447, 1463, 1365, 1178, 1096, 1056, 950, 930, 809, 685 (cm-1)
モノマーの同定を、元素分析、ＩＲ（ＫＢｒ法）、1ＨＮＭＲにより行った。  得られたジハロゲン化物の物性値を以下に示す。【００６６】
[化１９]中の化合物15
(O) 2,7-Dibromo-trans-9,10-dimethoxy-9,10-dimethylphenanthrene(15)の合成
窒素雰囲気下、2,7-Dibromo-trans-9,10-dimethylphenanthrene-9,10-diol(2.71 g, 6.81 mmol)をdry THF(20 mL)に溶解させた溶液に、potassium tert-butoxide(3.28 g, 29.2 mmol)を加え、室温で3時間撹拌した。その後、iodomethane(6.00 mL, 96.4 mmol)を加え還流下4日間攪拌した。
クロロホルム、チオ硫酸ナトリウムで抽出、無水硫酸マグネシウムで乾燥、濃縮した。カラムクロマトグラフィー(ヘキサン：クロロホルム＝3：1)で精製することで白色粉末である2,7-Dibromo-trans-9,10-dimethoxy-9,10-dimethylphenanthrene(0.50 g, 1.17 mmol, 17%)を得た。得られた粉末を、クロロホルム−ヘキサン混合溶媒により再結晶化させることで白色盤状結晶を得た。
(物性値)
mp  202.5-203.0 ℃
1H NMR (DMSO-d, 400 MHz)   
δ(ppm) = 7.77 (d, J = 8.30 Hz, 2H, Hc)
7.66 (d, J = 2.20 Hz, 2H, Ha) 
7.57 (dd, J = 1.95, 8.29 Hz, 2H, Hb) 
3.29 (s, 6H, -OCH3)
1.54 (s, 6H, -CH3)
IR(KBr)  1476, 1461, 1250, 1206, 1118, 1078, 1037, 1004, 810, 795 (cm-1)
0004534044.tif 000029
【００６７】
上記化合物１５のNMRスペクトルを図7に示す。【００６８】
[化１９]中の化合物16
(P)2,7-Dibromo-trans-9,10-dimethyl-9,10-bis(trimethylsilyloxy)phenanthrene(1６)の合成
窒素雰囲気下、2,7-Dibromo-trans-9,10-dimethylphenanthrene-9,10-diol(3.50 g, 8.79 mmol)をdry THF(30 mL)に溶解させた溶液に、chlorotrimethylsilane(4.46 mL, 35.1 mmol), 1,8-diazabicyclo[5.4.0.]-7-undecene(10 mL, 71.7 mmol)を加え、還流下7時間撹拌した。
酢酸エチルで抽出、無水硫酸マグネシウムで乾燥、濃縮した。カラムクロマトグラフィー(ヘキサン：クロロホルム＝3：1)で精製することで白色粉末である2,7-Dibromo-trans-9,10-dimethyl-9,10-bis(trimethylsilanyloxy)phenanthrene(3.93 g, 7.24 mmol, 82%)を得た。得られた粉末を、クロロホルム−ヘキサン混合溶媒により再結晶化させることで白色盤状結晶を得た。
(物性値)    
mp  140.0-141.0 ℃   
1H NMR (CDCl3, 400MHz)   
δ(ppm) = 7.65 (d, J = 1.71 Hz, 2H, Ha) 
7.40-7.46 (m, 4H, Hb, Hc) 
1.34 (s, 6H, -CH3) 
0.33 (s, 18H, -(CH3)3)
IR(KBr)  1264, 1252, 1219, 1155, 1114, 1070, 1019, 888, 861, 839 (cm-1)
【００６９】
上記化合物16のNMRスペクトルを図8に示す。【００７０】
実施例４
次いで、上記のように得られたジハロゲン化物を出発原料として、ポリマーの合成を試みた。すなわち、置換基を有する9,10-ジヒドロフェナントレンのジハロゲン化物を原料として、重縮合により本発明の高分子化合物の合成を試みた。【００７１】
ホモポリマーの簡略化した合成手順を以下に示す。
【化２０】
0004534044.tif 000030
(操作)
窒素雰囲気下、bis(1,5-cyclooctadiene)nickel(0)(0.51 g, 1.84 mmol)にdry DMF(15.0 mL), bipyridine(0.30 g, 1.92 mmol), 1,5-cyclooctadiene(226 μL, 1.84 mmol), 2,7-Dibromo-trans-9,10-dimethyl-9,10-bis(trimethylsilyloxy)phenanthrene(0.50 g, 0.92 mmol)を加え60 ℃で4日間攪拌した。
臭化水素酸でquenchした後、メタノール、EDTA-4Na aqで再沈殿、乾燥することで黄色粉末である高分子２２(0.33 g, 0.86 mmol, 94%)を得た。
同様に、化１７、化２０に示されたモノマーを用いて、共重合も行うことができる。
(A) Sonogashira反応による共重合
一例として27の合成を示す。
窒素雰囲気下、2,7-Dibromo-trans-9,10-dihydoro-9,10-dimethoxyphenanthrene(0.39 g, 0.98 mmol)にdry THF(25 mL), tetrakis(triphenylphosphine)palladium(0)(56.6 mg, 49.0  μmol), copper(Ｉ) iodide(10.0 mg, 52.5 μmol), triethylamine(10 mL, 71.7 mmol), 2,7-Diethynyl-9,9-dioctylfluorene(0.43 g, 0.98 mmol)の順に加え60 ℃で4日間攪拌した。
メタノール、EDTA-4Na aqで再沈殿、乾燥することで黄色粉末である高分子(0.65 g, 0.96 mmol, 98%)を得た。
(B) Suzuki反応による共重合
一例として31の合成を示す。
窒素雰囲気下、tetrakis(triphenylphosphine)palladium(0)(58.0 mg, 0.05 mmol)に窒素でバブリングしたtoluene(20 mL)を加え、さらに9,9-dioctylfluorene-2,7-bis(trimetyleneborate)(0.56 g, 1.00 mmol), 2,7-Dibromo-trans-9,10-dimethoxyl-9,10-dimethylphenanthrene(0.43 g, 1.00 mmol),バブリングした2M-potassium carbonate(5.0 mL), methanol(5.0 mL)を加え80 ℃で4日間攪拌した。
メタノール、EDTA-4Na aqで2度再沈殿し、乾燥することで緑色粉末である高分子(0.65 g, 1.00 mmol, 99%)を得た。【００７２】
上記(A)と（B）で得られたポリマーの性質を下記表２に示す。【００７３】
【表２】
0004534044.tif 000031
本発明で得られたホモポリマー及びコポリマーをクロロホルムなどの有機溶媒に溶解し、溶液をガラス、白金などの金属板上に塗布し、大気中で自然乾燥することによりポリマーの薄膜が得られた。得られた薄膜は、可視紫外、蛍光スペクトル測定及び電気化学測定に耐え得る強度を持つ。また、大気中に放置しても劣化は認められない。
一例としてホモポリマー（２２）について述べる。
無蛍光ガラス(２ｃｍ×５ｃｍ)上にポリマーのクロロホルム溶液(およそ１．５×１０−５M)を全面に塗布した後、大気中で自然乾燥させることにより、均一な薄膜が得られた。製膜したポリマーの蛍光スペクトルを測定すると(励起波長382nm)、432及び454nmに発光極大が観測された。【００７４】
実施例５
次いで、実施例2及び４で得られた本発明の高分子化合物について紫外吸収スペクトル、及び発光スペクトルを測定した。その結果を表3及び表４に示す。
表3は、ホモポリマーの光学的性質を示す。【００７５】
【表３】
0004534044.tif 000032
表４は、コポリマーの光学的性質を示す。【００７６】
【表４】
0004534044.tif 000033
【００７７】
これらの結果、紫外可視吸収スペクトルから光の吸収位置が分かり、可視部の吸収についての着色材、紫外光吸収材に利用できることが分かる。また、発光スペクトル(蛍光スペクトル)で発光が見られることから、蛍光塗料等に用いることができることがわかる。
本発明の高分子化合物は、クロロホルムなどの有機溶媒に溶解性を示すことから、高分子化合物の溶液をガラスなどの基板上に塗布することが容易になる。
【産業上の利用可能性】
【００７８】
本発明によれば、溶解性を有し、電気化学的に活性で、蛍光を有し、耐熱性等を有する機能材料などを提供することができ、光学及び電気化学分野において幅広く貢献し得る。
【図１】
0004534044.tif 000042
【図２】
0004534044.tif 000043
【図３】
0004534044.tif 000044
【図４】
0004534044.tif 000045
【図５】
0004534044.tif 000046
【図６】
0004534044.tif 000047
【図７】
0004534044.tif 000048
【図８】
0004534044.tif 000049